(57)【要約】【課題】有機電界発光素子に好適に使用可能な化合物、および該化合物を用いた耐久性、発光輝度の改良された有機電界発光素子を提供することにある。【解決手段】一般式（１）で表される複素環化合物、および該複素環化合物を用いることを最も主要な特徴とする有機電界発光素子。【化１】2005112765.tif 000017［式中、Ｑは酸素原子または硫黄原子を表し、Ｔ１およびＴ２はそれぞれ独立に、水素原子、ハロゲン原子、直鎖、分岐または環状のアルキル基、直鎖、分岐または環状のアルコキシ基、あるいは置換または未置換のアリール基を表し、Ｙ１およびＹ２はそれぞれ独立に、置換または未置換のアリーレン基を表し、Ｚ１〜Ｚ４はそれぞれ独立に、置換または未置換のアリール基を表し、さらにＺ１とＺ２およびＺ３とＺ４はそれぞれ、置換する窒素原子と共に含窒素複素環を形成してもよい］【選択図】なし【特許請求の範囲】
【請求項１】
一般式（１）（化１）で表される複素環化合物。
【化１】
2005112765.tif 000016
［式中、Ｑは酸素原子または硫黄原子を表し、Ｔ１およびＴ２はそれぞれ独立に、水素原子、ハロゲン原子、直鎖、分岐または環状のアルキル基、直鎖、分岐または環状のアルコキシ基、あるいは置換または未置換のアリール基を表し、Ｙ１およびＹ２はそれぞれ独立に、置換または未置換のアリーレン基を表し、Ｚ１〜Ｚ４はそれぞれ独立に、置換または未置換のアリール基を表し、さらにＺ１とＺ２およびＺ３とＺ４はそれぞれ、置換する窒素原子とともに含窒素複素環を形成してもよい］
【請求項２】
一対の電極間に、一般式（１）で表される化合物を少なくとも１種含有する層を少なくとも１層狭持してなる有機電界発光素子。
【請求項３】
一般式（１）で表される化合物を含有する層が、正孔注入輸送層である請求項２記載の有機電界発光素子。
【請求項４】
一般式（１）で表される化合物を含有する層が、発光層である請求項２記載の有機電界発光素子。
【発明の詳細な説明】
【技術分野】
【０００１】
本発明は、複素環化合物および該化合物を含有する有機電界発光素子に関する。
【背景技術】
【０００２】
近年、各種の有機化合物が、表示材料や記録材料など、種々の機能を有する材料として盛んに開発が進められている。
【０００３】
例えば、最近では、素子の構成材料に有機化合物を用いた有機電界発光素子（有機エレクトロルミネッセンス素子；有機ＥＬ素子）が開発された〔例えば非特許文献１参照〕。有機電界発光素子は、蛍光性有機化合物を含む薄膜を、陽極と陰極の間に挟持された構造を有し、該薄膜に電子および正孔（ホール）を注入して、再結合させることにより励起子（エキシトン）を生成させ、この励起子が失活する際に放出される光を利用して発光する素子である。有機電界発光素子は、数Ｖ〜数十Ｖ程度の直流の低電圧で発光が可能であり、また蛍光性有機化合物を選択することにより、種々の色（例えば、赤色、青色、緑色）の発光が可能である。このような特徴を有する有機電界発光素子は、種々の発光素子、表示素子などへの応用が期待されている。しかしながら、一般に、有機電界発光素子は、安定性、耐久性に乏しいなどの難点がある。さらに発光輝度が低く、実用上充分でない。
【０００４】
例えば、大きな発光輝度を持つ有機電界発光素子として、一般式（２）（化１）で表される化合物を含むことを特徴とする有機エレクトロルミネセンス素子が開示されている〔特許文献１〕。
【０００５】
【化１】
2005112765.tif 000002
【０００６】
［式中、Ａは、ＣＨ２、Ｏ、Ｓ、ＳＯ２、Ｓｅ、Ｔｅ、Ｃ＝Ｃ（ＣＮ）２、ＮＲ９、ＰＲ１０、Ｃ＝Ｏ、Ｃ＝Ｓ、Ｃ＝Ｓｅ、Ｃ＝Ｔｅである。Ｒ１ないしＲ１０は、それぞれ独立に、水素原子、ハロゲン原子、シアノ基、ニトロ基、アミノ基、エステル基、モノまたはジ置換アミノ基、アシルアミノ基、水酸基、アルコキシ基、メルカプト基、アルキルオキシ基、アルキルチオ基、シロキシ基、アシル基、シクロアルキル基、カルバモイル基、カルボン酸基、スルフォン酸基、置換もしくは未置換の脂肪族基、置換もしくは未置換の脂肪族式環基、置換もしくは未置換の炭素環式芳香族環基、置換もしくは未置換の複素環式芳香族環基、置換もしくは未置換の複素環基を表す。また、隣接した置換基同士で置換もしくは未置換の脂肪族式環、置換もしくは未置換の炭素環式芳香族環、置換もしくは未置換の複素環式芳香族環、置換もしくは未置換の複素環を形成しても良い。ここで、Ｒ１ないしＲ４のうち少なくとも一つ、およびＲ５ないしＲ８のうち少なくとも一つが、アミノ基、モノ置換アミノ基もしくはジ置換アミノ基である。］
しかしながら、これらの発光素子も充分な耐久性、耐熱性を有しているとは言いがたい。現在では、一層改良された有機電界発光素子が望まれており、新規な有機材料が求められている。
【非特許文献１】Appl.Phys.Lett.,51,913(1987)
【特許文献１】特開平７−５３９５０号公報
【発明の開示】
【発明が解決しようとする課題】
【０００７】
本発明の課題は、新規な化合物および該化合物を含有する有機電界発光素子を提供することにある。さらに詳しくは、有機電界発光素子に好適に使用可能な化合物、および該化合物を用いた耐久性、発光輝度の改良された有機電界発光素子を提供することにある。
【課題を解決するための手段】
【０００８】
本発明者等は、種々の化合物および有機電界発光素子に関して鋭意検討した結果、本発明を完成するに至った。すなわち、本発明は、
[１]一般式（１）（化２）で表される複素環化合物、
【０００９】
【化２】
2005112765.tif 000003
【００１０】
［式中、Ｑは酸素原子または硫黄原子を表し、Ｔ１およびＴ２はそれぞれ独立に、水素原子、ハロゲン原子、直鎖、分岐または環状のアルキル基、直鎖、分岐または環状のアルコキシ基、あるいは置換または未置換のアリール基を表し、Ｙ１およびＹ２はそれぞれ独立に、置換または未置換のアリーレン基を表し、Ｚ１〜Ｚ４はそれぞれ独立に、置換または未置換のアリール基を表し、さらにＺ１とＺ２およびＺ３とＺ４はそれぞれ、置換する窒素原子と共に含窒素複素環を形成してもよい］
[２]一対の電極間に、一般式（１）で表される化合物を少なくとも１種含有する層を少なくとも１層狭持してなる有機電界発光素子、
[３]一般式（１）で表される化合物を含有する層が、正孔注入輸送層である[２]記載の有機電界発光素子、
[４]一般式（１）で表される化合物を含有する層が、発光層である[２]記載の有機電界発光素子、に関するものである。
【発明の効果】
【００１１】
本発明により、新規な複素環化合物、および耐久性、発光輝度に優れた有機電界発光素子を提供することができる。
【発明を実施するための最良の形態】
【００１２】
一般式（１）で表される化合物において、Ｑは酸素原子または硫黄原子を表し、Ｔ１およびＴ２はそれぞれ独立に、水素原子、ハロゲン原子、直鎖、分岐または環状のアルキル基、直鎖、分岐または環状のアルコキシ基、あるいは置換または未置換のアリール基を表し、Ｙ１およびＹ２はそれぞれ独立に、置換または未置換のアリーレン基を表し、Ｚ１〜Ｚ４はそれぞれ独立に、置換または未置換のアリール基を表し、さらにＺ１とＺ２およびＺ３とＺ４はそれぞれ、置換する窒素原子と共に含窒素複素環を形成してもよい。なお、本願においてアリール基とは、炭素環式芳香族基および複素環式芳香族基を表す。また、アリーレン基とは、炭素環式芳香族の２価基、複素環式芳香族の２価基を表す。
【００１３】
一般式（１）で表される化合物において、Ｑは酸素原子または硫黄原子である。
【００１４】
一般式（１）で表される化合物において、Ｔ１およびＴ２はそれぞれ独立に、水素原子、ハロゲン原子、直鎖、分岐または環状のアルキル基、直鎖、分岐または環状のアルコキシ基、あるいは置換または未置換のアリール基であり、好ましくは、水素原子、フッ素原子、塩素原子、炭素数１〜１６の直鎖、分岐または環状のアルキル基、あるいは炭素数４〜１６の置換または未置換のアリール基であり、より好ましくは、水素原子、フッ素原子、炭素数１〜１４の直鎖、分岐または環状のアルキル基、あるいは炭素数６〜１４の置換または未置換のアリール基であり、さらに好ましくは、水素原子、炭素数１〜４の直鎖または分岐のアルキル基、あるいは置換または未置換のフェニル基であり、特に好ましくは水素原子である。
【００１５】
Ｔ１およびＴ２のハロゲン原子、直鎖、分岐または環状のアルキル基、あるいは直鎖、分岐または環状のアルコキシ基の具体的例としては、例えば、フッ素原子、塩素原子、臭素原子などのハロゲン原子；メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ネオペンチル基、ｔｅｒｔ−ペンチル基、２−エチルプロピル基、シクロペンチル基、ｎ−ヘキシル基、２−エチルブチル基、３，３−ジメチルブチル基、シクロヘキシル基、ｎ−ヘプチル基、シクロヘキシルメチル基、ｎ−オクチル基、１，１−ジメチルヘキシル基、２−エチルヘキシル基、ｎ−ノニル基、ｎ−デシル基、ｎ−ドデシル基、ｎ−テトラデシル基、ｎ−ヘキサデシル基などの直鎖、分岐または環状のアルキル基；
メトキシ基、エトキシ基、ｎ−プロポキシ基、イソプロポキシ基、ｎ−ブトキシ基、イソブトキシ基、ｓｅｃ−ブトキシ基、ｎ−ペンチルオキシ基、イソペンチルオキシ基、ネオペンチルオキシ基、シクロペンチルオキシ基、ｎ−ヘキシルオキシ基、２−エチルブトキシ基、３，３−ジメチルブトキシ基、シクロヘキシルオキシ基、ｎ−ヘプチルオキシ基、シクロヘキシルメチルオキシ基、ｎ−オクチルオキシ基、２−エチルヘキシルオキシ基、ｎ−ノニルオキシ基、ｎ−デシルオキシ基、ｎ−ドデシルオキシ基、ｎ−テトラデシルオキシ基、ｎ−ヘキサデシルオキシ基などの直鎖、分岐または環状のアルコキシ基などを挙げることができるが、これらに限定されるものではない。
【００１６】
また、Ｔ１およびＴ２の置換または未置換のアリール基の具体的例としては、例えば、フェニル基、１−ナフチル基、２−ナフチル基、１−アントリル基、２−アントリル基、９−アントリル基、９−フェナントリル基、２−フルオレニル基、９−フルオレニル基、４−キノリル基、４−ピリジル基、３−ピリジル基、２−ピリジル基、３−フリル基、２−フリル基、３−チエニル基、２−チエニル基、２−オキサゾリル基、２−チアゾリル基、２−ベンゾオキサゾリル基、２−ベンゾチアゾリル基、２−ベンゾイミダゾリル基、
４−メチルフェニル基、３−メチルフェニル基、２−メチルフェニル基、４−エチルフェニル基、３−エチルフェニル基、２−エチルフェニル基、４−ｎ−プロピルフェニル基、４−イソプロピルフェニル基、２−イソプロピルフェニル基、４−ｎ−ブチルフェニル基、４−イソブチルフェニル基、４−ｓｅｃ−ブチルフェニル基、２−ｓｅｃ−ブチルフェニル基、４−ｔｅｒｔ−ブチルフェニル基、３−ｔｅｒｔ−ブチルフェニル基、２−ｔｅｒｔ−ブチルフェニル基、４−ｎ−ペンチルフェニル基、４−イソペンチルフェニル基、２−イソペンチルフェニル基、４−ｔｅｒｔ−ペンチルフェニル基、４−（２’−エチルプロピル）フェニル基、４−ヘキシルフェニル基、４−（２’−エチルブチル）フェニル基、４−ｎ−ヘプチルフェニル基、４−ｎ−オクチルフェニル基、４−（２’−エチルヘキシル）フェニル基、
４−シクロペンチルフェニル基、４−シクロヘキシルフェニル基、４−（４’−メチルシクロヘキシル）フェニル基、３−シクロヘキシルフェニル基、２−シクロヘキシルフェニル基、２，４−ジメチルフェニル基、２，５−ジメチルフェニル基、３，４−ジメチルフェニル基、３，５−ジメチルフェニル基、２，６−ジメチルフェニル基、２，４−ジエチルフェニル基、２，３，５−トリメチルフェニル基、２，３，６−トリメチルフェニル基、３，４，５−トリメチルフェニル基、２，６−ジエチルフェニル基、２，５−ジイソプロピルフェニル基、２，６−ジイソブチルフェニル基、２，４−ジ（ｔｅｒｔ−ブチル）フェニル基、２，５−ジ（ｔｅｒｔ−ブチル）フェニル基、４，６−ジ（ｔｅｒｔ−ブチル）−２−メチルフェニル基、５−（ｔｅｒｔ−ブチル）−２−メチルフェニル基、４−（ｔｅｒｔ−ブチル）−２，６−ジメチルフェニル基、
２−メチル−１−ナフチル基、４−メチル−１−ナフチル基、４−エチル−１−ナフチル基、４−ブチル−１−ナフチル基、５−エチル−１−ナフチル基、６−メチル−２−ナフチル基、６−エチル−２−ナフチル基、６−ｎ−ブチル−２−ナフチル基、６−ｎ−ヘキシル−２−ナフチル基、７−メチル−２−ナフチル基、７−ｎ−ブチル−２−ナフチル基、１，４−ジメチル−２−ナフチル基、
１−メチル−９−アントリル基、２−メチル−９−アントリル基、３−メチル−９−アントリル基、４−メチル−９−アントリル基、１０−メチル−９−アントリル基、１０−エチル−９−アントリル基、１０−ｎ−ブチル−９−アントリル基、１０−（ｔｅｒｔ−ブチル）−９−アントリル基、９，１０−ジメチル−２−アントリル基、９，１０−ジエチル−２−アントリル基、
１０−メチル−９−フェナントリル基、１０−エチル−９−フェナントリル基、１０−ｎ−ブチル−９−フェナントリル基、９−メチル−２−フルオレニル基、９−エチル−２−フルオレニル基、９，９−ジメチル−２−フルオレニル基、７，９，９−トリメチル−２−フルオレニル基、９，９−ジエチル−２−フルオレニル基、９−メチル−９−フルオレニル基、
４−メトキシフェニル基、３−メトキシフェニル基、２−メトキシフェニル基、４−エトキシフェニル基、３−エトキシフェニル基、２−エトキシフェニル基、４−ｎ−プロポキシフェニル基、３−ｎ−プロポキシフェニル基、４−イソプロポキシフェニル基、２−イソプロポキシフェニル基、４−ｎ−ブトキシフェニル基、４−イソブトキシフェニル基、２−ｓｅｃ−ブトキシフェニル基、４−ｎ−ペンチルオキシフェニル基、４−イソペンチルオキシフェニル基、２−イソペンチルオキシフェニル基、４−ネオペンチルオキシフェニル基、２−ネオペンチルオキシフェニル基、４−ｎ−ヘキシルオキシフェニル基、２−（２’−エチルブチル）オキシフェニル基、４−ｎ−オクチルオキシフェニル基、
２−メトキシ−１−ナフチル基、４−メトキシ−１−ナフチル基、４−ｎ−ブトキシ−１−ナフチル基、５−エトキシ−１−ナフチル基、６−メトキシ−２−ナフチル基、６−エトキシ−２−ナフチル基、６−ｎ−ブトキシ−２−ナフチル基、６−ｎ−ヘキシルオキシ−２−ナフチル基、７−メトキシ−２−ナフチル基、７−ｎ−ブトキシ−２−ナフチル基、２−メチル−４−メトキシフェニル基、２−メチル−５−メトキシフェニル基、３−メチル−５−メトキシフェニル基、３−エチル−５−メトキシフェニル基、２−メトキシ−４−メチルフェニル基、３−メトキシ−４−メチルフェニル基、２，４−ジメトキシフェニル基、２，５−ジメトキシフェニル基、２，６−ジメトキシフェニル基、３，４−ジメトキシフェニル基、３，５−ジメトキシフェニル基、３，５−ジエトキシフェニル基、３，５−ジ−ｎ−ブトキシフェニル基、２−メトキシ−４−エトキシフェニル基、２−メトキシ−６−エトキシフェニル基、３，４，５−トリメトキシフェニル基、
１，１’−ビフェニル−４−イル基、１，１’−ビフェニル−３−イル基、１，１’−ビフェニル−２−イル基、４’−メチル−１，１’−ビフェニル−４−イル基、３’−メチル−１，１’−ビフェニル−４−イル基、４’−メトキシ−１，１’−ビフェニル−４−イル基、４’−ｎ−ブトキシ−１，１’−ビフェニル−４−イル基、２’−メトキシ−１，１’−ビフェニル−２−イル基、３−フルオロ−１，１’−ビフェニル−４−イル基、４’−クロロ−１，１’−ビフェニル−４−イル基、２−メチル−１，１’−ビフェニル−２−イル基、２−メトキシ−１，１’−ビフェニル−２−イル基、４−フェニル−１−ナフチル基、２−フェニル−１−ナフチル基、６−フェニル−２−ナフチル基、１０−フェニル−９−アントリル基、７−フェニル−２−フルオレニル基、９−フェニル−９−フルオレニル基、
４−フルオロフェニル基、３−フルオロフェニル基、２−フルオロフェニル基、４−クロロフェニル基、３−クロロフェニル基、２−クロロフェニル基、４−ブロモフェニル基、２−ブロモフェニル基、４−クロロ−１−ナフチル基、４−クロロ−２−ナフチル基、６−ブロモ−２−ナフチル基、２，３−ジフルオロフェニル基、２，４−ジフルオロフェニル基、２，５−ジフルオロフェニル基、２，６−ジフルオロフェニル基、３，４−ジフルオロフェニル基、３，５−ジフルオロフェニル基、２，３−ジクロロフェニル基、２，４−ジクロロフェニル基、２，５−ジクロロフェニル基、３，４−ジクロロフェニル基、３，５−ジクロロフェニル基、２，５−ジブロモフェニル基、２，４，６−トリクロロフェニル基、２，４−ジクロロ−１−ナフチル基、１，６−ジクロロ−２−ナフチル基、２−フルオロ−４−メチルフェニル基、２−フルオロ−５−メチルフェニル基、３−フルオロ−２−メチルフェニル基、３−フルオロ−４−メチルフェニル基、２−メチル−４−フルオロフェニル基、２−メチル−５−フルオロフェニル基、３−メチル−４−フルオロフェニル基、２−クロロ−４−メチルフェニル基、２−クロロ−５−メチルフェニル基、２−クロロ−６−メチルフェニル基、２−メチル−３−クロロフェニル基、２−メチル−４−クロロフェニル基、３−メチル−４−クロロフェニル基、２−クロロ−４，６−ジメチルフェニル基、２−メトキシ−４−フルオロフェニル基、２−フルオロ−４−メトキシフェニル基、２−フルオロ−４−エトキシフェニル基、２−フルオロ−６−メトキシフェニル基、３−フルオロ−４−エトキシフェニル基、３−クロロ−４−メトキシフェニル基、２−メトキシ−５−クロロフェニル基、３−メトキシ−６−クロロフェニル基、５−クロロ−２，４−ジメトキシフェニル基、４−フルオロ−１−ナフチル基、５−フルオロ−１−ナフチル基、６−フルオロ−２−ナフチル基、２−フルオロ−４−メチル−１−ナフチル基、７−フルオロ−２−フルオレニル基、７−フルオロ−９，９−ジメチル−２−フルオレニル基、７−クロロ−９，９−ジメチル−２−フルオレニル基などを挙げることができるが、これらに限定されるものではない。
【００１７】
一般式（１）で表される化合物において、Ｙ１およびＹ２は置換または未置換のアリーレン基であり、好ましくは、未置換、もしくは、置換基として、例えば、ハロゲン原子、直鎖、分岐または環状のアルキル基、直鎖、分岐または環状のアルコキシ基、あるいは置換または未置換のアリール基で単置換または多置換されていてもよい総炭素数６〜２１の炭素環式芳香族の２価基、または総炭素数３〜２０の複素環式芳香族の２価基であり、より好ましくは、未置換、もしくは、置換基として、例えば、ハロゲン原子、炭素数１〜１４のアルキル基、炭素数１〜１４のアルコキシ基、あるいは炭素数６〜１０のアリール基で単置換または多置換されていてもよい総炭素数６〜２１の炭素環式芳香族の２価基であり、さらに好ましくは、未置換、もしくは、置換基として、例えば、フッ素原子、炭素数１〜４のアルキル基、炭素数１〜４のアルコキシ基、あるいは炭素数６〜１２のアリール基で単置換または多置換されていてもよい、総炭素数６〜１８の１，４−フェニレン基、１，３−フェニレン基、１，４−ナフタレンジイル基、１，５−ナフタレンジイル基、２，６−ナフタレンジイル基、あるいは９，１０−アントラセンジイル基であり、特に好ましくは、未置換の１，４−フェニレン基、あるいは１，４−ナフタレンジイル基である。
【００１８】
Ｙ１およびＹ２の置換または未置換のアリーレン基において、単置換または多置換されていてもよい置換基の具体的例としては、例えば、Ｔ１およびＴ２の具体的例として挙げた、ハロゲン原子、直鎖、分岐または環状のアルキル基、直鎖、分岐または環状のアルコキシ基、あるいは置換または未置換のアリール基などを例示することができるが、これらに限定されるものではない。
【００１９】
一般式（１）で表される化合物において、Ｚ１〜Ｚ４は置換または未置換のアリール基であり、Ｚ１〜Ｚ４は好ましくは、未置換、もしくは、置換基として、例えば、ハロゲン原子、直鎖、分岐または環状のアルキル基、直鎖、分岐または環状のアルコキシ基、あるいは置換または未置換のアリール基で単置換または多置換されていてもよい総炭素数６〜２１の炭素環式芳香族基、または総炭素数３〜２０の複素環式芳香族基であり、より好ましくは、未置換、もしくは、置換基として、例えば、ハロゲン原子、炭素数１〜１４のアルキル基、炭素数１〜１４のアルコキシ基、あるいは炭素数６〜１２のアリール基で単置換または多置換されていてもよい総炭素数６〜２１の炭素環式芳香族基であり、さらに好ましくは、未置換、もしくは、置換基として、例えば、フッ素原子、炭素数１〜４のアルキル基、炭素数１〜４のアルコキシ基、あるいは炭素数６〜１２のアリール基で単置換または多置換されていてもよい総炭素数６〜１８のフェニル基、１−ナフチル基、２−ナフチル基、２−アントリル基、９−アントリル基、９−フェナントリル基、あるいは２−フルオレニル基である。
【００２０】
Ｚ１〜Ｚ４の置換または未置換のアリール基において、単置換または多置換されていてもよい炭素環式芳香族基または複素環式芳香族基における置換基の具体的例としては、例えば、Ｔ１およびＴ２の具体的例として挙げたハロゲン原子、直鎖、分岐または環状のアルキル基、直鎖、分岐または環状のアルコキシ基、あるいは置換または未置換のアリール基などを例示することができるが、これらに限定されるものではない。
【００２１】
一般式（１）で表される化合物において、さらにＺ１とＺ２、およびＺ３とＺ４は結合している窒素原子とともに含窒素複素環を形成していてもよく、好ましくは、−ＮＺ１Ｚ２、および−ＮＺ３Ｚ４は、置換または未置換の−Ｎ−カルバゾリル基、置換または未置換の−Ｎ−フェノキサジニル基、あるいは置換または未置換の−Ｎ−フェノチアジニル基を形成していてもよく、より好ましくは、未置換の、もしくは、置換基として、例えば、ハロゲン原子、炭素数１〜１０のアルキル基、炭素数１〜１０のアルコキシ基、あるいは炭素数６〜１２のアリール基で単置換あるいは多置換されていてもよい−Ｎ−カルバゾリル基、−Ｎ−フェノキサジニル基、あるいは−Ｎ−フェノチアジニル基であり、さらに好ましくは、未置換の、もしくは、置換基として、例えば、ハロゲン原子、炭素数１〜４のアルキル基、炭素数１〜４のアルコキシ基、あるいは炭素数６〜１２のアリール基で単置換あるいは多置換されていてもよい−Ｎ−カルバゾリル基、−Ｎ−フェノキサジニル基、あるいは−Ｎ−フェノチアジニル基であり、特に好ましくは、未置換の−Ｎ−カルバゾリル基、３位および６位を炭素数１〜４のアルキル基または炭素数６〜１２のアリール基で置換された−Ｎ−カルバゾリル基、未置換の−Ｎ−フェノキサジニル基、あるいは未置換の−Ｎ−フェノチアジニル基である。
【００２２】
本発明に係る一般式（１）で表される化合物の具体的例としては、例えば、以下の化合物を挙げることができるが、本発明はこれらに限定されるものではない。
【００２３】
【化３】
2005112765.tif 000004
【００２４】
【化４】
2005112765.tif 000005
【００２５】
【化５】
2005112765.tif 000006
【００２６】
【化６】
2005112765.tif 000007
【００２７】
【化７】
2005112765.tif 000008
【００２８】
【化８】
2005112765.tif 000009
【００２９】
【化９】
2005112765.tif 000010
【００３０】
【化１０】
2005112765.tif 000011
【００３１】
【化１１】
2005112765.tif 000012
【００３２】
【化１２】
2005112765.tif 000013
【００３３】
本発明に関わる一般式（１）で表される化合物は、公知の方法に従って製造することができる。すなわち、例えば、一般式（３）（化１３）で表される化合物と一般式（４）（化１３）および一般式（５）（化１３）で表される化合物を銅触媒〔例えば、金属銅粉、塩化銅（Ｉ）、塩化銅（ＩＩ）、臭化銅（Ｉ）、酢酸銅（ＩＩ）、あるいは硫酸銅（ＩＩ）など〕またはパラジウム触媒〔例えば、酢酸パラジウム（ＩＩ）、あるいはテトラキス（トリフェニルホスフィン）パラジウム（０）など〕存在下に反応させることにより製造することができる。
【００３４】
【化１３】
2005112765.tif 000014
【００３５】
〔式中、Ｑ、Ｔ１、Ｔ２、Ｙ１、Ｙ２およびＺ１〜Ｚ４は一般式（１）と同じ意味を表し、Ｘ１およびＸ２はそれぞれ独立に、塩素原子、臭素原子、またはヨウ素原子を表す。〕
一般式（１）で表される化合物は、有機電界発光素子の発光成分または電荷輸送成分として使用する事ができる。その他、各種の蛍光染料、蛍光増白剤などに使用することができる。
【００３６】
有機電界発光素子は、通常、一対の電極間に、少なくとも１種の発光成分を含有する発光層を少なくとも一層挟持してなるものである。発光層に使用する化合物の正孔注入および正孔輸送、電子注入および電子輸送の各機能レベルを考慮し、所望に応じて、正孔注入輸送成分を含有する正孔注入輸送層および／または電子注入輸送成分を含有する電子注入輸送層を設けることもできる。例えば、発光層に使用する化合物の正孔注入機能、正孔輸送機能および／または電子注入機能、電子輸送機能が良好な場合には、発光層が正孔注入輸送層および／または電子注入輸送層を兼ねた型の素子の構成とすることができる。もちろん、場合によっては、正孔注入輸送層および電子注入輸送層の両方の層を設けない型の素子（一層型の素子）の構成とすることもできる。また、正孔注入輸送層、電子注入輸送層および発光層のそれぞれの層は、一層構造であっても多層構造であってもよく、正孔注入輸送層および電子注入輸送層は、それぞれの層において、注入機能を有する層と輸送機能を有する層を別々に設けて構成することもできる。
【００３７】
本発明の有機電界発光素子において、一般式（１）で表される化合物は、正孔注入輸送成分および／または発光成分に用いることが好ましく、正孔注入輸送成分に用いることがより好ましい。本発明の有機電界発光素子においては、一般式（１）で表される化合物は、単独で使用してもよく、あるいは複数併用してもよい。
【００３８】
本発明の有機電界発光素子の構成としては、特に限定するものではなく、例えば、（Ａ）陽極／正孔注入輸送層／発光層／電子注入輸送層／陰極型素子（図１）、（Ｂ）陽極／正孔注入輸送層／発光層／陰極型素子（図２）、（Ｃ）陽極／発光層／電子注入輸送層／陰極型素子（図３）、（Ｄ）陽極／発光層／陰極型素子（図４）などを挙げることができる。さらには、発光層を電子注入輸送層で挟み込んだ型の素子である（Ｅ）陽極／正孔注入輸送層／電子注入輸送層／発光層／電子注入輸送層／陰極型素子（図５）とすることもできる。（Ｄ）型の素子構成としては、発光成分を一層形態で一対の電極間に挟持させた型の素子はもちろんであるが、さらには、例えば、（Ｆ）正孔注入輸送成分、発光成分および電子注入輸送成分を混合させた一層形態で一対の電極間に挟持させた型の素子（図６）、（Ｇ）正孔注入輸送成分および発光成分を混合させた一層形態で一対の電極間に挟持させた型の素子（図７）、（Ｈ）発光成分および電子注入輸送成分を混合させた一層形態で一対の電極間に挟持させた型の素子（図８）がある。
【００３９】
本発明の有機電界発光素子は、これらの素子構成に限るものではなく、それぞれの型の素子において、正孔注入輸送層、発光層、電子注入輸送層を複数層設けたりすることができる。また、それぞれの型の素子において、正孔注入輸送層と発光層との間に、正孔注入輸送成分と発光成分の混合層および／または発光層と電子注入輸送層との間に、発光成分と電子注入輸送成分の混合層を設けることもできる。より好ましい有機電界発光素子の構成は、（Ａ）型素子、（Ｂ）型素子、（Ｅ）型素子、（Ｆ）型素子または（Ｇ）型素子であり、さらに好ましくは、（Ａ）型素子、（Ｂ）型素子または（Ｇ）型素子である。
【００４０】
本発明の有機電界発光素子として、例えば、（図１）に示す（Ａ）陽極／正孔注入輸送層／発光層／電子注入輸送層／陰極型素子について説明する。（図１）において、１は基板、２は陽極、３は正孔注入輸送層、４は発光層、５は電子注入輸送層、６は陰極、７は電源を示す。
【００４１】
本発明の有機電界発光素子は、基板１に支持されていることが好ましく、基板としては、特に限定するものではないが、透明ないし半透明であることが好ましく、例えば、ガラス板、透明プラスチックシート（例えば、ポリエステル、ポリカーボネート、ポリスルフォン、ポリメチルメタクリレート、ポリプロピレン、ポリエチレンなどのシート）、半透明プラスチックシート、石英、透明セラミックスあるいはこれらを組み合わせた複合シートからなるものを挙げることができる。さらに、基板に、例えば、カラーフィルター膜、色変換膜、誘電体反射膜を組み合わせて、発光色をコントロールすることもできる。
【００４２】
陽極２としては、比較的仕事関数の大きい金属、合金または電気電導性化合物を電極物質として使用することが好ましい。陽極に使用する電極物質としては、例えば、金、白金、銀、銅、コバルト、ニッケル、パラジウム、バナジウム、タングステン、酸化錫、酸化亜鉛、ＩＴＯ（インジウム・ティン・オキサイド）、ポリチオフェン、ポリピロールなどを挙げることができる。これらの電極物質は、単独で使用してもよく、あるいは複数併用してもよい。陽極は、これらの電極物質を、例えば、蒸着法、スパッタリング法等の方法により、基板の上に形成することができる。また、陽極は一層構造であってもよく、あるいは多層構造であってもよい。陽極のシート電気抵抗は、好ましくは、数百Ω以下、より好ましくは、５〜５０Ω程度に設定する。陽極の厚みは、使用する電極物質の材料にもよるが、一般に、５〜１０００ｎｍ程度、より好ましくは、１０〜５００ｎｍ程度に設定する。
【００４３】
正孔注入輸送層３は、陽極からの正孔（ホール）の注入を容易にする機能、および注入された正孔を輸送する機能を有する化合物を含有する層である。正孔注入輸送層は、一般式（１）で表される化合物および／または他の正孔注入輸送機能を有する化合物（例えば、フタロシアニン誘導体、トリアリールメタン誘導体、トリアリールアミン誘導体、オキサゾール誘導体、ヒドラゾン誘導体、スチルベン誘導体、ピラゾリン誘導体、ポリシラン誘導体、ポリフェニレンビニレンおよびその誘導体、ポリチオフェンおよびその誘導体、ポリ−Ｎ−ビニルカルバゾール誘導体など）を、少なくとも１種用いて形成することができる。なお、正孔注入輸送機能を有する化合物は、単独で使用してもよく、あるいは複数併用してもよい。
【００４４】
本発明において用いる正孔注入輸送機能を有する化合物としては、トリアリールアミン誘導体〔例えば、Ｎ，Ｎ’−ビス（４”−メチルフェニル）−Ｎ，Ｎ’−ジフェニル−１，１’−ビフェニル−４，４’−ジアミン、Ｎ，Ｎ’−ビス（３”−メチルフェニル）−Ｎ，Ｎ’−ジフェニル−１，１’−ビフェニル−４，４’−ジアミン、Ｎ，Ｎ’−ビス（３”−メトキシフェニル）−Ｎ，Ｎ’−ジフェニル−１，１’−ビフェニル−４，４’−ジアミン、Ｎ，Ｎ’−ジ（１”−ナフチル）−Ｎ，Ｎ’−ジフェニル−１，１’−ビフェニル−４，４’−ジアミン、３，３’−ジメチル−Ｎ，Ｎ’−ビス（３”−メチルフェニル）−Ｎ，Ｎ’−ジフェニル−１，１’−ビフェニル−４，４‘−ジアミン、１，１−ビス｛４’−［Ｎ，Ｎ−ビス（４”−メチルフェニル）アミノ］フェニル｝シクロヘキサン、Ｎ，Ｎ’−ビス（４’−ｎ−ブチルフェニル）−Ｎ、Ｎ’−ビス（４”−メチルフェニル）フェナントレン−９，１０−ジアミン、６，Ｎ，Ｎ，Ｎ’，Ｎ’−ペンタフェニルフェナントリジン−３，８−ジアミン、Ｎ−（４”−メチルフェニル）−Ｎ，Ｎ−ビス｛４’−［Ｎ’，Ｎ’−ビス（４’”−メチルフェニル）アミノ］−１，１’−ビフェニル−４−イル｝アミン、Ｎ，Ｎ’−ビス［４’−（Ｎ”，Ｎ”−ジフェニルアミノ）フェニル］−Ｎ，Ｎ’−ジフェニル−１，３−フェニレンジアミン、Ｎ，Ｎ’−ビス［４’−（Ｎ”，Ｎ”−ジフェニルアミノ）フェニル］−Ｎ，Ｎ’−ジフェニル−１，４−フェニレンジアミン、５，５”−ビス｛４’”−［Ｎ，Ｎ−ビス（４””−メチルフェニル）アミノ］フェニル｝−２，２’：５’，２”−ターチオフェン、Ｎ，Ｎ，Ｎ’，Ｎ’，Ｎ”，Ｎ”−ヘキサフェニル−１，３，５−ベンゼントリアミン、４，４’，４”−トリス（Ｎ−カルバゾリル）トリフェニルアミン、４，４’，４”−トリス［Ｎ−（３’’’−メチルフェニル）−Ｎ−フェニルアミノ］トリフェニルアミン、４，４’，４”−トリス［Ｎ，Ｎ−ビス（４””−ｔｅｒｔ−ブチル−１’”，１””−ビフェニル−４’”−イル）アミノ］トリフェニルアミン、Ｎ，Ｎ’，Ｎ”−トリス［４’−（Ｎ’”，Ｎ’”−ジフェニルアミノ）フェニル］−Ｎ，Ｎ’，Ｎ”−トリフェニル−１，３，５−ベンゼントリアミンなど〕、ポリチオフェンおよびその誘導体、ポリ−Ｎ−ビニルカルバゾール誘導体がより好ましい。
【００４５】
本発明の有機電界発光素子においては、正孔注入輸送層に一般式（１）で表される化合物を含有していることが好ましい。一般式（１）で表される化合物と他の正孔注入輸送機能を有する化合物を併用する場合、正孔注入輸送層中に占める一般式（１）で表される化合物の割合は、好ましくは、０．００１〜９９．９９９質量％程度に調製する。
【００４６】
発光層４は、正孔および電子の注入機能、それらの輸送機能、正孔と電子の再結合により励起子を生成させる機能を有する化合物を含有する層である。発光層は、一般式（１）で表される化合物および／または他の発光機能を有する化合物（例えば、アクリドン誘導体、キナクリドン誘導体、ジケトピロロピロール誘導体、多環芳香族化合物〔例えば、ルブレン、アントラセン、テトラセン、ピレン、ペリレン、クリセン、デカシクレン、コロネン、テトラフェニルシクロペンタジエン、ペンタフェニルシクロペンタジエン、９，１０−ジフェニルアントラセン、９，１０−ビス（フェニルエチニル）アントラセン、１，４−ビス（アントラセン−９’−イルエチニル）ベンゼン、４，４’−ビス（アントラセン−９”−イルエチニル）−１，１’−ビフェニル〕、トリアリールアミン誘導体〔例えば、正孔注入輸送機能を有する化合物として前述した化合物を挙げることができる〕、有機金属錯体〔例えば、トリス（８−キノリノラート）アルミニウム、ビス（１０−ベンゾ［ｈ］キノリノラート）ベリリウム、２−（２’−ヒドロキシフェニル）ベンゾオキサゾールの亜鉛塩、２−（２’−ヒドロキシフェニル）ベンゾチアゾールの亜鉛塩、４−ヒドロキシアクリジンの亜鉛塩、３−ヒドロキシフラボンの亜鉛塩、５−ヒドロキシフラボンのベリリウム塩、５−ヒドロキシフラボンのアルミニウム塩〕、スチルベン誘導体〔例えば、１，１，４，４−テトラフェニル−１，３−ブタジエン、４，４’−ビス（２”，２”−ジフェニルビニル）−１，１’−ビフェニル、４，４’−ビス（１”，２”，２”−トリフェニルビニル）−１，１’−ビフェニル〕、
クマリン誘導体〔例えば、クマリン１、クマリン６、クマリン７、クマリン３０、クマリン１０６、クマリン１３８、クマリン１５１、クマリン１５２、クマリン１５３、クマリン３０７、クマリン３１１、クマリン３１４、クマリン３３４、クマリン３３８、クマリン３４３、クマリン５００〕、ピラン誘導体〔例えば、ＤＣＭ１、ＤＣＭ２〕、オキサゾン誘導体〔例えば、ナイルレッド〕、ベンゾチアゾール誘導体、ベンゾオキサゾール誘導体、ベンゾイミダゾール誘導体、ピラジン誘導体、ケイ皮酸エステル誘導体、ポリ−Ｎ−ビニルカルバゾールおよびその誘導体、ポリチオフェンおよびその誘導体、ポリフェニレンおよびその誘導体、ポリフルオレンおよびその誘導体、ポリフェニレンビニレンおよびその誘導体、ポリビフェニレンビニレンおよびその誘導体、ポリターフェニレンビニレンおよびその誘導体、ポリナフチレンビニレンおよびその誘導体、ポリチエニレンビニレンおよびその誘導体など）を、少なくとも１種用いて形成することができる。
【００４７】
本発明の有機電界発光素子においては、発光層に一般式（１）で表される化合物を含有していることが好ましい。一般式（１）で表される化合物と他の発光機能を有する化合物を併用する場合、発光層中に占める一般式（１）で表される化合物の割合は、好ましくは、０．００１〜９９．９９９質量％程度に調製する。
【００４８】
本発明において用いる他の発光機能を有する化合物としては、多環芳香族化合物、スチルベン誘導体、発光性有機金属錯体がより好ましい。例えば、J.Appl.Phys.,65,3610(1989)、特開平５−２１４３３２号公報に記載のように、発光層をホスト化合物とゲスト化合物（ドーパント）とより構成することもできる。一般式（１）で表される化合物を、ホスト化合物として発光層を形成することができ、さらにはゲスト化合物として発光層を形成することもできる。一般式（１）で表される化合物を、ホスト化合物として発光層を形成する場合、ゲスト化合物としては、例えば、前記の他の発光機能を有する化合物を挙げることができ、中でも多環芳香族化合物は好ましい。この場合、一般式（１）で表される化合物に対して、他の発光機能を有する化合物を、好ましくは、０．００１〜４０質量％程度、より好ましくは、０．０１〜３０質量％程度、さらに好ましくは、０．１〜２０質量％程度使用する。一般式（１）で表される化合物を、ゲスト化合物として用いて発光層を形成する場合、ホスト化合物としては、多環芳香族化合物、トリアリールアミン誘導体、有機金属錯体、スチルベン誘導体が好ましく、多環芳香族化合物、スチルベン誘導体がより好ましい。この場合、ホスト化合物に対して、一般式（１）で表される化合物を、好ましくは、０．００１〜４０質量％程度、より好ましくは、０．０１〜３０質量％程度、さらに好ましくは、０．１〜２０質量％程度使用する。もちろんいずれの場合においても、他の発光機能を有する化合物は、単独で使用してもよく、あるいは複数併用してもよい。
【００４９】
電子注入輸送層５は、陰極からの電子の注入を容易にする機能、そして注入された電子を輸送する機能を有する化合物を含有する層である。電子注入輸送層に使用される電子注入輸送機能を有する化合物としては、例えば、有機金属錯体〔例えば、トリス（８−キノリノラート）アルミニウム、ビス（１０−ベンゾ［ｈ］キノリノラート）ベリリウム、５−ヒドロキシフラボンのベリリウム塩、５−ヒドロキシフラボンのアルミニウム塩〕、オキサジアゾール誘導体〔例えば、１，３−ビス［５’−（４”−ｔｅｒｔ−ブチルフェニル）−１’，３’，４’−オキサジアゾール−２’−イル］ベンゼン〕、トリアゾール誘導体〔例えば、５−（１’，１”−ビフェニル−４’−イル）−３−（４’”−ｔｅｒｔ−ブチルフェニル）−４−フェニル−１，２，４−トリアゾール〕、トリアジン誘導体、ペリレン誘導体、キノリン誘導体、キノキサリン誘導体、ジフェニルキノン誘導体、ニトロ置換フルオレノン誘導体、チオピランジオキサイド誘導体などを挙げることができる。なお、電子注入輸送機能を有する化合物は、単独で使用してもよく、あるいは複数併用してもよい。
【００５０】
陰極６としては、比較的仕事関数の小さい金属、合金または電気電導性化合物を電極物質として使用することが好ましい。陰極に使用する電極物質としては、例えば、リチウム、リチウム−インジウム合金、ナトリウム、ナトリウム−カリウム合金、カルシウム、マグネシウム、マグネシウム−銀合金、マグネシウム−インジウム合金、インジウム、ルテニウム、チタニウム、マンガン、イットリウム、アルミニウム、アルミニウム−リチウム合金、アルミニウム−カルシウム合金、アルミニウム−マグネシウム合金、グラファイト薄膜等を挙げることができる。これらの電極物質は、単独で使用してもよく、あるいは複数併用してもよい。陰極は、これらの電極物質を、例えば、蒸着法、スパッタリング法、イオン化蒸着法、イオンプレーティング法、クラスターイオンビーム法等の方法により、電子注入輸送層の上に形成することができる。また、陰極は一層構造であってもよく、あるいは多層構造であってもよい。なお、陰極のシート電気抵抗は、数百Ω以下に設定するのが好ましい。陰極の厚みは、使用する電極物質の材料にもよるが、一般に、５〜１０００ｎｍ程度、より好ましくは、１０〜５００ｎｍ程度に設定する。なお、有機電界発光素子の発光を効率よく取り出すために、陽極または陰極の少なくとも一方の電極が、透明ないし半透明であることが好ましく、一般に、発光光の透過率が７０％以上となるように陽極の材料、厚みを設定することがより好ましい。
【００５１】
また、本発明の有機電界発光素子においては、その少なくとも一層中に、一重項酸素クエンチャーが含有されていてもよい。一重項酸素クエンチャーとしては、特に限定するものではなく、例えば、ルブレン、ニッケル錯体、ジフェニルイソベンゾフランなどが挙げられ、特に好ましくは、ルブレンである。一重項酸素クエンチャーが含有されている層としては、特に限定するものではないが、好ましくは、発光層または正孔注入輸送層であり、より好ましくは、正孔注入輸送層である。なお、例えば、正孔注入輸送層に一重項酸素クエンチャーを含有させる場合、正孔注入輸送層中に均一に含有させてもよく、正孔注入輸送層と隣接する層（例えば、発光層、発光機能を有する電子注入輸送層）の近傍に含有させてもよい。一重項酸素クエンチャーの含有量としては、含有される層（例えば、正孔注入輸送層）を構成する全体量の０．０１〜５０質量％、好ましくは、０．０５〜３０質量％、より好ましくは、０．１〜２０質量％である。
【００５２】
正孔注入輸送層、発光層、電子注入輸送層の形成方法に関しては、特に限定するものではなく、例えば、真空蒸着法、イオン化蒸着法、溶液塗布法（例えば、スピンコート法、キャスト法、ディップコート法、バーコート法、ロールコート法、ラングミュア・ブロゼット法、インクジェット法など）により薄膜を形成することにより作製することができる。真空蒸着法により、各層を形成する場合、真空蒸着の条件は、特に限定するものではないが、５×１０−４Ｐａ程度以下の真空下で、５０〜６００℃程度のボート温度（蒸着源温度）、−５０〜３００℃程度の基板温度で、０．００５〜５０ｎｍ／ｓｅｃ程度の蒸着速度で実施することが好ましい。この場合、正孔注入輸送層、発光層、電子注入輸送層等の各層は、真空下で、連続して形成することにより、諸特性に一層優れた有機電界発光素子を製造することができる。真空蒸着法により、正孔注入輸送層、発光層、電子注入輸送層等の各層を、複数の化合物を用いて形成する場合、化合物を入れた各ボートを個別に温度制御して、共蒸着することが好ましい。
【００５３】
溶液塗布法により、各層を形成する場合、各層を形成する成分あるいはその成分とバインダー樹脂等を、溶媒に溶解、または分散させて塗布液とする。正孔注入輸送層、発光層、電子注入輸送層の各層に使用しうるバインダー樹脂としては、例えば、ポリ−Ｎ−ビニルカルバゾール、ポリアリレート、ポリスチレン、ポリエステル、ポリシロキサン、ポリメチルアクリレート、ポリメチルメタクリレート、ポリエーテル、ポリカーボネート、ポリアミド、ポリイミド、ポリアミドイミド、ポリパラキシレン、ポリエチレン、ポリエチレンエーテル、ポリプロピレンエーテル、ポリフェニレンオキサイド、ポリエーテルスルフォン、ポリアニリンおよびその誘導体、ポリチオフェンおよびその誘導体、ポリフェニレンビニレンおよびその誘導体、ポリフルオレンおよびその誘導体、ポリチエニレンビニレンおよびその誘導体等の高分子化合物が挙げられる。バインダー樹脂は、単独で使用してもよく、あるいは複数併用してもよい。
【００５４】
溶液塗布法により、各層を形成する場合、各層を形成する成分あるいはその成分とバインダー樹脂等を、適当な有機溶媒（例えば、ヘキサン、オクタン、デカン、トルエン、キシレン、エチルベンゼン、１−メチルナフタレン等の炭化水素系溶媒；アセトン、２−ブタノン、４−メチル−２−ペンタノン、シクロヘキサノン等のケトン系溶媒；ジクロロメタン、クロロホルム、テトラクロロメタン、ジクロロエタン、トリクロロエタン、テトラクロロエタン、クロロベンゼン、ジクロロベンゼン、クロロトルエン等のハロゲン化炭化水素系溶媒；酢酸エチル、酢酸ブチル、酢酸ペンチル等のエステル系溶媒；メタノール、エタノール、１−プロパノール、２−プロパノール、１−ブタノール、２−ブタノール、１−ペンタノール、１−ヘキサノール、シクロヘキサノール、２−メトキシエタノール、２−エトキシエタノール、エチレングリコール等のアルコール系溶媒；ジブチルエーテル、テトラヒドロフラン、１，４−ジオキサン、アニソール等のエーテル系溶媒；Ｎ，Ｎ−ジメチルホルムアミド、Ｎ，Ｎ−ジメチルアセトアミド、１−メチル−２−ピロリドン、１，３−ジメチル−２−イミダゾリジノン、ジメチルスルフォキサイド等の極性溶媒）および／または水に溶解、または分散させて塗布液とし、各種の塗布法により、薄膜を形成することができる。
【００５５】
なお、分散する方法としては、特に限定するものではないが、例えば、ボールミル、サンドミル、ペイントシェーカー、アトライター、ホモジナイザー等を用いて微粒子状に分散することができる。塗布液の濃度に関しては、特に限定するものではなく、実施する塗布法により、所望の厚みを作製するに適した濃度範囲に設定することができ、一般には、０．１〜５０質量％程度、好ましくは、１〜３０質量％程度の溶液濃度である。なお、バインダー樹脂を使用する場合、その使用量に関しては、特に限定するものではないが、一般には、各層を形成する成分に対して（一層型の素子を形成する場合には、各成分の総量に対して）、５〜９９．９質量％程度、好ましくは、１０〜９９質量％程度、より好ましくは、１５〜９０質量％程度に設定する。
【００５６】
正孔注入輸送層、発光層、電子注入輸送層の膜厚に関しては、特に限定するものではないが、一般に、５ｎｍ〜５μｍ程度に設定することが好ましい。なお、作製した素子に対し、酸素や水分等との接触を防止する目的で、保護層（封止層）を設けたり、また素子を、例えば、パラフィン、流動パラフィン、シリコンオイル、フルオロカーボン油、ゼオライト含有フルオロカーボン油などの不活性物質中に封入して保護することができる。
【００５７】
保護層に使用する材料としては、例えば、有機高分子材料（例えば、フッ素化樹脂、エポキシ樹脂、シリコーン樹脂、エポキシシリコーン樹脂、ポリスチレン、ポリエステル、ポリカーボネート、ポリアミド、ポリイミド、ポリアミドイミド、ポリパラキシレン、ポリエチレン、ポリフェニレンオキサイド）、無機材料（例えば、ダイヤモンド薄膜、アモルファスシリカ、電気絶縁性ガラス、金属酸化物、金属窒化物、金属炭素化物、金属硫化物）、さらには光硬化性樹脂などを挙げることができ、保護層に使用する材料は、単独で使用してもよく、あるいは複数併用してもよい。保護層は、一層構造であってもよく、また多層構造であってもよい。
【００５８】
また、電極に保護膜として、例えば、金属酸化膜（例えば、酸化アルミニウム膜）、金属フッ化膜を設けることもできる。また、例えば、陽極の表面に、例えば、有機リン化合物、ポリシラン、芳香族アミン誘導体、フタロシアニン誘導体（例えば、銅フタロシアニン）、カーボンから成る界面層（中間層）を設けることもできる。さらに、電極、例えば、陽極はその表面を、例えば、酸、アンモニア／過酸化水素、あるいはプラズマで処理して使用することもできる。
【００５９】
本発明の有機電界発光素子は、一般に、直流駆動型の素子として使用されるが、パルス駆動型または交流駆動型の素子としても使用することができる。なお、印加電圧は、一般に、２〜３０Ｖ程度である。本発明の有機電界発光素子は、例えば、パネル型光源、各種の発光素子、各種の表示素子、各種の標識、各種のセンサーなどに使用することができる。
【００６０】
以下、実施例により、本発明をさらに詳細に説明するが、もちろん、本発明はこれらに限定されるものではない。
【実施例１】
【００６１】
例示化合物１の合成
２，８−ビス（４’−クロロフェニル）ジベンゾ［ｂ，ｄ］ピラン３．９ｇ、ジフェニルアミン４．３ｇ、ナトリウムｔｅｒｔ−ブトキシド１．５ｇを、１，２−キシレン（２５ｇ）に加え、窒素雰囲気下、室温で１時間攪拌した。ここに酢酸パラジウム０．１ｇとトリ（ｔｅｒｔ−ブチル）ホスフィン０．４ｇを加えた後、７時間加熱還流した。その後、室温まで冷却して、その後、室温まで冷却して、トルエン（２００ｇ）と水（２００ｇ）を加えて室温で３０分間攪拌を行った。その後、分液を行い、有機層を水（３００ｇ）で３回洗浄し、硫酸マグネシウム２０ｇに通して乾燥して後、およそ５０ｍＬまで減圧濃縮した。この濃縮液をシリカゲルカラムクロマトグラフィ（展開液；トルエン：ｎ−ヘキサン＝１：２）で処理し、さらにトルエンとｎ−ヘキサンの混合溶媒（重量比３：１）で２回再結晶を行い、白色固体３．６ｇを得た。質量分析測定により、例示化合物１の化合物であることを確認した。
【実施例２】
【００６２】
例示化合物３の合成
実施例１において、ジフェニルアミン４．３ｇの代わりにＮ−フェニル−３−メトキシフェニルアミン５．０ｇを使用した以外は、実施例１と同様の操作を行って、白色固体３．３ｇを得た。質量分析測定により、例示化合物３の化合物であることを確認した。
【実施例３】
【００６３】
例示化合物６の合成
実施例１において、ジフェニルアミン４．３ｇの代わりにフェノキサジン５．０ｇを使用した以外は、実施例１と同様の操作を行って、白色固体３．３ｇを得た。質量分析測定により、例示化合物６の化合物であることを確認した。
【実施例４】
【００６４】
例示化合物７の合成
実施例１において、ジフェニルアミン４．３ｇの代わりにＮ−フェニル−１，１’−ビフェニル−４−アミン６．２ｇを使用した以外は、実施例１と同様の操作を行って、白色固体３．９ｇを得た。質量分析測定により、例示化合物７の化合物であることを確認した。
【実施例５】
【００６５】
例示化合物２２の合成
実施例１において、２，８−ビス（４’−クロロフェニル）ジベンゾ［ｂ，ｄ］ピラン３．９ｇの代わりに２，８−ビス（４’−クロロフェニル）ジベンゾ［ｂ，ｄ］チオフェン４．１ｇを、ジフェニルアミン４．３ｇの代わりにＮ−フェニル−３−メチルフェニルアミン４．６ｇを使用した以外は、実施例１と同様の操作を行って、白色固体３．５ｇを得た。質量分析測定により、例示化合物２２の化合物であることを確認した。
【実施例６】
【００６６】
例示化合物２５の合成
実施例１において、２，８−ビス（４’−クロロフェニル）ジベンゾ［ｂ，ｄ］ピラン３．９ｇの代わりに２，８−ビス（４’−クロロフェニル）ジベンゾ［ｂ，ｄ］チオフェン４．１ｇを、ジフェニルアミン４．３ｇの代わりにカルバゾール４．２ｇを使用した以外は、実施例１と同様の操作を行って、白色固体３．６ｇを得た。質量分析測定により、例示化合物２５の化合物であることを確認した。
【実施例７】
【００６７】
例示化合物２８の合成
実施例１において、２，８−ビス（４’−クロロフェニル）ジベンゾ［ｂ，ｄ］ピラン３．９ｇの代わりに２，８−ビス（４’−クロロフェニル）ジベンゾ［ｂ，ｄ］チオフェン４．１ｇを、ジフェニルアミン４．３ｇの代わりにＮ−フェニル−１−ナフチルアミン５．５ｇを使用した以外は、実施例１と同様の操作を行って、白色固体３．９ｇを得た。質量分析測定により、例示化合物２８の化合物であることを確認した。
【実施例８】
【００６８】
例示化合物３８の合成
実施例１において、２，８−ビス（４’−クロロフェニル）ジベンゾ［ｂ，ｄ］ピラン４．１ｇの代わりに２，８−ビス（４’−クロロ−１’−ナフチル）ジベンゾ［ｂ，ｄ］チオフェン５．１ｇを使用した以外は、実施例１と同様の操作を行って、白色固体４．１ｇを得た。質量分析測定により、例示化合物３８の化合物であることを確認した。
【実施例９】
【００６９】
例示化合物１２の合成
２，８−ビス（４’−クロロフェニル）ジベンゾ［ｂ，ｄ］ピラン３．９ｇ、Ｎ−フェニル−９−フェナントリルアミン６．８ｇ、ナトリウムｔｅｒｔ−ブトキシド１．５ｇを、トルエン（３０ｇ）に加え、窒素雰囲気下、室温で１時間攪拌した。ここに酢酸パラジウム０．１ｇと２−ジシクロヘキシルホスフィノ−１，１’−ビフェニル０．７ｇを加えた後、１００℃に昇温し、同温度で８時間保温した。その後、室温まで冷却して、メタノール（３００ｇ）に排出し、析出した固体をろ取し、メタノールで洗浄後、乾燥した。得られた固体を、シリカゲルカラムクロマトグラフィ（展開液；トルエン：ｎ−ヘキサン＝１：２）で処理し、さらにトルエンとｎ−ヘキサンの混合溶媒（重量比３：１）で２回再結晶を行い、白色固体４．１ｇを得た。質量分析測定により、例示化合物１２の化合物であることを確認した。
【実施例１０】
【００７０】
例示化合物１３の合成
実施例９において、Ｎ−フェニル−９−フェナントリルアミン６．８ｇの代わりにＮ−フェニル−４−フルオロ−１−ナフチルアミン６．０ｇを使用した以外は、実施例９と同様の操作を行って、白色固体４．２ｇを得た。質量分析測定により、例示化合物１３の化合物であることを確認した。
【実施例１１】
【００７１】
例示化合物１９の合成
実施例９において、２，８−ビス（４’−クロロフェニル）ジベンゾ［ｂ，ｄ］ピラン３．９ｇの代わりに２，８−ビス（６’−クロロ−２’−ナフチル）ジベンゾ［ｂ，ｄ］ピラン５．１ｇを、Ｎ−フェニル−９−フェナントリルアミン６．８ｇの代わりにジフェニルアミン４．３ｇを使用した以外は、実施例９と同様の操作を行って、白色固体３．９ｇを得た。質量分析測定により、例示化合物１９の化合物であることを確認した。
【実施例１２】
【００７２】
例示化合物３２の合成
実施例９において、２，８−ビス（４’−クロロフェニル）ジベンゾ［ｂ，ｄ］ピラン３．９ｇの代わりに２，８−ビス（４’−クロロフェニル）ジベンゾ［ｂ，ｄ］チオフェン４．１ｇを使用した以外は、実施例９と同様の操作を行って、白色固体４．１ｇを得た。質量分析測定により、例示化合物３２の化合物であることを確認した。
【実施例１３】
【００７３】
例示化合物３５の合成
実施例９において、２，８−ビス（４’−クロロフェニル）ジベンゾ［ｂ，ｄ］ピラン３．９ｇの代わりに２，８−ビス（４’−クロロフェニル）ジベンゾ［ｂ，ｄ］チオフェン４．１ｇを、Ｎ−フェニル−９−フェナントリルアミン６．８ｇの代わりにＮ−フェニル−９，９−ジメチル−２−フルオレニルアミン７．２ｇを使用した以外は、実施例９と同様の操作を行って、白色固体２．２ｇを得た。質量分析測定により、例示化合物３５の化合物であることを確認した。
【実施例１４】
【００７４】
例示化合物３６の合成
実施例９において、２，８−ビス（４’−クロロフェニル）ジベンゾ［ｂ，ｄ］ピラン３．９ｇの代わりに２，８−ビス（４’−クロロフェニル）ジベンゾ［ｂ，ｄ］チオフェン４．１ｇを、Ｎ−フェニル−９−フェナントリルアミン６．８ｇの代わりに３，６−ジメチルカルバゾール４．９ｇを使用した以外は、実施例９と同様の操作を行って、白色固体２．２ｇを得た。質量分析測定により、例示化合物３６の化合物であることを確認した。
【実施例１５】
【００７５】
例示化合物２４の合成
２，８−ビス（４’−ブロモフェニル）ジベンゾ［ｂ，ｄ］チオフェン２４．７ｇ、ジフェニルアミン８．５ｇ、炭酸カリウム７．０ｇおよび銅粉５．０ｇを１，２−ジクロロベンゼン（１５０ｇ）中、窒素雰囲気下、１８０〜１９０℃で１２時間加熱攪拌した。１５０℃に冷却後、不溶解物を熱炉別し、ろ液を４０℃以下に冷却後、メタノール（３００ｇ）に排出して、固体をろ過、メタノール（５０ｇ）で洗浄、減圧乾燥を行った。この固体を、シリカゲルカラムクロマトグラフィ〔溶出液：ｎ−ヘキサンとトルエンの混合溶媒（３：１）〕で処理し、淡黄色の固体９．３ｇを得た。この固体７．０ｇ、ビス（４−ｔｅｒｔ−ブチルフェニル）アミン４．３ｇ、ナトリウムｔｅｒｔ−ブトキシド０．８ｇを、ｏ−キシレン（２５ｇ）に加え、窒素雰囲気下、室温で１時間攪拌した。ここに酢酸パラジウム０．１ｇとトリ（ｔｅｒｔ−ブチル）ホスフィン０．４ｇを加えた後、７時間加熱還流した。その後、室温まで冷却して、その後、室温まで冷却して、トルエン（２００ｇ）と水（２００ｇ）を加えて室温で３０分間攪拌を行った。その後、分液を行い、有機層を水（３００ｇ）で３回洗浄し、硫酸マグネシウム２０ｇに通して乾燥して後、およそ５０ｍＬまで減圧濃縮した。この濃縮液をシリカゲルカラムクロマトグラフィ（展開液；トルエン：ｎ−ヘキサン＝１：２）で処理し、さらにトルエンとｎ−ヘキサンの混合溶媒（重量比３：１）で２回再結晶を行い、白色固体１．８ｇを得た。質量分析測定により、例示化合物２４の化合物であることを確認した。
【実施例１６】
【００７６】
例示化合物２９の合成
２−（４’−ブロモフェニル）−８−（４”−クロロフェニル）ジベンゾ［ｂ，ｄ］チオフェン２２．５ｇ、カルバゾール８．４ｇ、炭酸カリウム７．０ｇおよびヨウ化銅（Ｉ）１．０ｇを１，２−ジクロロベンゼン（１８０ｇ）中、窒素雰囲気下、１８０〜１９０℃で１２時間加熱攪拌した。１５０℃に冷却後、不溶解物を熱炉別し、ろ液を４０℃以下に冷却後、メタノール（３００ｇ）に排出して、固体をろ過、メタノール（５０ｇ）で洗浄、減圧乾燥を行った。この固体を、シリカゲルカラムクロマトグラフィ〔溶出液：ｎ−ヘキサンとトルエンの混合溶媒（２：１）〕で処理し、淡黄色の固体１０．２ｇを得た。この固体５．４ｇ、Ｎ−フェニル−１−ナフチルアミン３．０ｇ、ナトリウムｔｅｒｔ−ブトキシド０．８ｇを、ｏ−キシレン（２５ｇ）に加え、窒素雰囲気下、室温で１時間攪拌した。ここに酢酸パラジウム０．１ｇとトリ（ｔｅｒｔ−ブチル）ホスフィン０．４ｇを加えた後、７時間加熱還流した。その後、室温まで冷却して、その後、室温まで冷却して、トルエン（２００ｇ）と水（２００ｇ）を加えて室温で３０分間攪拌を行った。その後、分液を行い、有機層を水（３００ｇ）で３回洗浄し、硫酸マグネシウム２０ｇに通して乾燥して後、およそ５０ｍＬまで減圧濃縮した。この濃縮液をシリカゲルカラムクロマトグラフィ（展開液；トルエン：ｎ−ヘキサン＝１：２）で処理し、さらにトルエンとｎ−ヘキサンの混合溶媒（重量比３：１）で２回再結晶を行い、白色固体２．１ｇを得た。質量分析測定により、例示化合物２９の化合物であることを確認した。
【実施例１７】
【００７７】
有機電界発光素子の作成
厚さ２００ｎｍのＩＴＯ透明電極（陽極）を有するガラス基板を、中性洗剤、アセトン、エタノールを用いて超音波洗浄した。その基板を窒素ガスを用いて乾燥し、さらにＵＶ／オゾン洗浄した後、蒸着装置の基板ホルダーに固定した後、蒸着槽を４×１０−４Ｐａに減圧した。まず、ＩＴＯ透明電極上に、例示化合物１の化合物を、蒸着速度０．２ｎｍ／ｓｅｃで７５ｎｍの厚さに蒸着し、正孔注入輸送層とした。次いで、その上に、トリス（８−キノリノラート）アルミニウムを、蒸着速度０．２ｎｍ／ｓｅｃで５０ｎｍの厚さに蒸着し、電子注入輸送層を兼ねた発光層とした。さらにその上に、マグネシウムと銀を蒸着速度０．２ｎｍ／ｓｅｃで２００ｎｍの厚さに共蒸着（重量比１０：１）して陰極とし、有機電界発光素子を作製した。なお、蒸着は、蒸着槽の減圧状態を保ったまま実施した。作製した有機電界発光素子に直流電圧を印加し、乾燥雰囲気下、１０ｍＡ／ｃｍ２の定電流密度で連続駆動させた。初期には、６．２Ｖ、輝度４８０ｃｄ／ｍ２の緑色の発光が確認された。輝度の半減期は７００時間であった。
【実施例１８】
【００７８】
有機電界発光素子の作成
実施例１７において、発光層の形成に際して、例示化合物１の化合物を使用する代わりに、例示化合物６の化合物を使用した以外は、実施例１７に記載の方法により有機電界発光素子を作製した。各素子からは緑色の発光が確認された。さらにその特性を調べ、結果を第１表（表１）に示した。
【実施例１９】
【００７９】
有機電界発光素子の作成
実施例１７において、発光層の形成に際して、例示化合物１の化合物を使用する代わりに、例示化合物１２の化合物を使用した以外は、実施例１７に記載の方法により有機電界発光素子を作製した。各素子からは緑色の発光が確認された。さらにその特性を調べ、結果を第１表（表１）に示した。
【実施例２０】
【００８０】
有機電界発光素子の作成
実施例１７において、発光層の形成に際して、例示化合物１の化合物を使用する代わりに、例示化合物１９の化合物を使用した以外は、実施例１７に記載の方法により有機電界発光素子を作製した。各素子からは緑色の発光が確認された。さらにその特性を調べ、結果を第１表（表１）に示した。
【実施例２１】
【００８１】
有機電界発光素子の作成
実施例１７において、発光層の形成に際して、例示化合物１の化合物を使用する代わりに、例示化合物２５の化合物を使用した以外は、実施例１７に記載の方法により有機電界発光素子を作製した。各素子からは緑色の発光が確認された。さらにその特性を調べ、結果を第１表（表１）に示した。
【実施例２２】
【００８２】
有機電界発光素子の作成
実施例１７において、発光層の形成に際して、例示化合物１の化合物を使用する代わりに、例示化合物２８の化合物を使用した以外は、実施例１７に記載の方法により有機電界発光素子を作製した。各素子からは緑色の発光が確認された。さらにその特性を調べ、結果を第１表（表１）に示した。
【実施例２３】
【００８３】
有機電界発光素子の作成
実施例１７において、発光層の形成に際して、例示化合物１の化合物を使用する代わりに、例示化合物２９の化合物を使用した以外は、実施例１７に記載の方法により有機電界発光素子を作製した。各素子からは緑色の発光が確認された。さらにその特性を調べ、結果を第１表（表１）に示した。
【実施例２４】
【００８４】
有機電界発光素子の作成
実施例１７において、発光層の形成に際して、例示化合物１の化合物を使用する代わりに、例示化合物３２の化合物を使用した以外は、実施例１７に記載の方法により有機電界発光素子を作製した。各素子からは緑色の発光が確認された。さらにその特性を調べ、結果を第１表（表１）に示した。
【実施例２５】
【００８５】
有機電界発光素子の作成
実施例１７において、発光層の形成に際して、例示化合物１の化合物を使用する代わりに、例示化合物３５の化合物を使用した以外は、実施例１７に記載の方法により有機電界発光素子を作製した。各素子からは緑色の発光が確認された。さらにその特性を調べ、結果を第１表（表１）に示した。
【実施例２６】
【００８６】
有機電界発光素子の作成
実施例１７において、発光層の形成に際して、例示化合物１の化合物を使用する代わりに、例示化合物３８の化合物を使用した以外は、実施例１７に記載の方法により有機電界発光素子を作製した。各素子からは緑色の発光が確認された。さらにその特性を調べ、結果を第１表（表１）に示した。
【００８７】
【表１】
2005112765.tif 000015
【００８８】
比較例１〜２  有機電界発光素子の作成
実施例１において、正孔注入輸送層の形成に際して、例示化合物１の化合物を使用する代わりに、Ｎ，Ｎ’−ビス（４”−メチルフェニル）−Ｎ，Ｎ’−ジフェニル−１，１’−ビフェニル−４，４’−ジアミン（比較例１）、３，７−ビス（Ｎ，Ｎ−ジフェニルアミノ）ジベンゾ［ｂ，ｄ］チオフェン（比較例２）を使用した以外は、実施例１に記載の方法により有機電界発光素子を作製した。各素子からは緑色の発光が確認された。さらにその特性を調べ、結果を第１表に示した。
【実施例２７】
【００８９】
有機電界発光素子の作成
厚さ２００ｎｍのＩＴＯ透明電極（陽極）を有するガラス基板を、中性洗剤、アセトン、エタノールを用いて超音波洗浄した。その基板を窒素ガスを用いて乾燥し、さらにＵＶ／オゾン洗浄した後、蒸着装置の基板ホルダーに固定した後、蒸着槽を４×１０−４Ｐａに減圧した。まず、ＩＴＯ透明電極上に、４，４’，４”−トリス〔Ｎ−（３’’’−メチルフェニル）−Ｎ−フェニルアミノ〕トリフェニルアミンを蒸着速度０．１ｎｍ／ｓｅｃで、５０ｎｍの厚さに蒸着し、第一正孔注入輸送層とした。次いでＮ、Ｎ’−ジ（１”−ナフチル）−Ｎ，Ｎ’−ジフェニル−１，１’−ビフェニル−４，４’−ジアミンと例示化合物７の化合物を、異なる蒸発源から、蒸着速度０．１ｎｍ／ｓｅｃで、２０ｎｍの厚さに共蒸着（重量比２０：８０）し、第二正孔注入輸送層とした。次いで、その上に、トリス（８−キノリノラート）アルミニウムを、蒸着速度０．２ｎｍ／ｓｅｃで５０ｎｍの厚さに蒸着し、電子注入輸送層を兼ねた発光層とした。さらにその上に、マグネシウムと銀を蒸着速度０．２ｎｍ／ｓｅｃで２００ｎｍの厚さに共蒸着（重量比１０：１）して陰極とし、有機電界発光素子を作製した。なお、蒸着は、蒸着槽の減圧状態を保ったまま実施した。作製した有機電界発光素子に直流電圧を印加し、乾燥雰囲気下、１０ｍＡ／ｃｍ２の定電流密度で連続駆動させた。初期には、６．０Ｖ、輝度６５０ｃｄ／ｍ２の緑色の発光が確認された。輝度の半減期は１５５０時間であった。
【実施例２８】
【００９０】
有機電界発光素子の作成
厚さ２００ｎｍのＩＴＯ透明電極（陽極）を有するガラス基板を、中性洗剤、アセトン、エタノールを用いて超音波洗浄した。その基板を窒素ガスを用いて乾燥し、さらにＵＶ／オゾン洗浄した後、蒸着装置の基板ホルダーに固定した後、蒸着槽を４×１０−４Ｐａに減圧した。まず、ＩＴＯ透明電極上に、例示化合物１３の化合物を蒸着速度０．１ｎｍ／ｓｅｃで、２０ｎｍの厚さに蒸着し、第一正孔注入輸送層とした。次いで、例示化合物２２の化合物とルブレンを、異なる蒸発源から、蒸着速度０．２ｎｍ／ｓｅｃで５５ｎｍの厚さに共蒸着（重量比１０：１）し、第二正孔注入輸送層を兼ねた発光層とした。さらに、その上に、トリス（８−キノリノラート）アルミニウムを蒸着速度０．２ｎｍ／ｓｅｃで５０ｎｍの厚さに蒸着し、電子注入輸送層とした。さらにその上に、マグネシウムと銀を蒸着速度０．２ｎｍ／ｓｅｃで２００ｎｍの厚さに共蒸着（重量比１０：１）して陰極とし、有機電界発光素子を作製した。なお、蒸着は、蒸着槽の減圧状態を保ったまま実施した。作製した有機電界発光素子に直流電圧を印加し、乾燥雰囲気下、１０ｍＡ／ｃｍ２の定電流密度で連続駆動させた。初期には、６．１Ｖ、輝度６２０ｃｄ／ｍ２の黄色の発光が確認された。輝度の半減期は１７１０時間であった。
【実施例２９】
【００９１】
有機電界発光素子の作成
厚さ２００ｎｍのＩＴＯ透明電極（陽極）を有するガラス基板を、中性洗剤、アセトン、エタノールを用いて超音波洗浄した。その基板を窒素ガスを用いて乾燥し、さらにＵＶ／オゾン洗浄した。次に、ＩＴＯ透明電極上に、ポリカーボネート（重量平均分子量５００００）、と例示化合物２４の化合物を、重量比１００：５０の割合で含有する３質量％ジクロロエタン溶液を用いて、ディップコート法により、４０ｎｍの正孔注入輸送層を兼ねた発光層とした。次に、この正孔注入輸送層を有するガラス基板を、蒸着装置の基板ホルダーに固定した後、蒸着槽を４×１０−４Ｐａに減圧した。次いで、その上に、トリス（８−キノリノラート）アルミニウムを、蒸着速度０．２ｎｍ／ｓｅｃで５０ｎｍの厚さに蒸着し、電子注入輸送層とした。さらに、電子注入輸送層の上に、マグネシウムと銀を蒸着速度０．２ｎｍ／ｓｅｃで２００ｎｍの厚さに共蒸着（重量比１０：１）して陰極とし、有機電界発光素子を作製した。作製した有機電界発光素子に、乾燥雰囲気下、１０Ｖの直流電圧を印加したところ、９０ｍＡ／ｃｍ２の電流が流れた。輝度５４０ｃｄ／ｍ２の青色の発光が確認された。輝度の半減期は２７０時間であった。
【実施例３０】
【００９２】
有機電界発光素子の作成
厚さ２００ｎｍのＩＴＯ透明電極（陽極）を有するガラス基板を、中性洗剤、アセトン、エタノールを用いて超音波洗浄した。その基板を窒素ガスを用いて乾燥し、さらにＵＶ／オゾン洗浄した。次に、ＩＴＯ透明電極上に、ポリメチルメタクリレート（重量平均分子量２５０００）、例示化合物３の化合物、トリス（８−キノリノラート）アルミニウムを、それぞれ重量比１００：５０：０．５の割合で含有する３質量％ジクロロエタン溶液を用いて、ディップコート法により、１００ｎｍの発光層を形成した。次に、この発光層を有するガラス基板を、蒸着装置の基板ホルダーに固定した後、蒸着槽を４×１０−４Ｐａに減圧した。さらに、発光層の上に、マグネシウムと銀を、蒸着速度０．２ｎｍ／ｓｅｃで２００ｎｍの厚さに共蒸着（重量比１０：１）して陰極とし、有機電界発光素子を作製した。作製した有機電界発光素子に、乾燥雰囲気下、１５Ｖの直流電圧を印加したところ、８５ｍＡ／ｃｍ２の電流が流れた。輝度４５０ｃｄ／ｍ２の緑色の発光が確認された。輝度の半減期は３４０時間であった。
【産業上の利用可能性】
【００９３】
耐久性、発光輝度の改良された有機電界発光素子が提供される。
【図面の簡単な説明】
【００９４】
【図１】有機電界発光素子の一例の概略構造図である。
【図２】有機電界発光素子の一例の概略構造図である。
【図３】有機電界発光素子の一例の概略構造図である。
【図４】有機電界発光素子の一例の概略構造図である。
【図５】有機電界発光素子の一例の概略構造図である。
【図６】有機電界発光素子の一例の概略構造図である。
【図７】有機電界発光素子の一例の概略構造図である。
【図８】有機電界発光素子の一例の概略構造図である。
【符号の説明】
【００９５】
１  ：基板
２  ：陽極
３  ：正孔注入輸送層
３ａ：正孔注入輸送成分
４  ：発光層
４ａ：発光成分
５  ：電子注入輸送層
５’’：電子注入輸送層
５ａ：電子注入輸送成分
６  ：陰極
７  ：電源
【図１】
2005112765.tif 000018
【図２】
2005112765.tif 000019
【図３】
2005112765.tif 000020
【図４】
2005112765.tif 000021
【図５】
2005112765.tif 000022
【図６】
2005112765.tif 000023
【図７】
2005112765.tif 000024
【図８】
2005112765.tif 000025